(57)【特許請求の範囲】
【請求項１】
回路基板、
この回路基板と、当該回路基板へ電気的に接続された情報カードとを外部に突出させずに収容し、電池パックが取り付けられる筐体背面と対向する筐体外面に操作部が設けられ、上記回路基板に接続された複数の接続端子を有して上記情報カードを収容する収容溝を画定するように形成されたコネクタが設けられた筐体を備え、
上記回路基板の主平面と上記情報カードの主平面とを平行にした場合に当該情報カードの主平面上に投影される上記回路基板の投影面積と比べて、上記回路基板の主平面上に投影される上記情報カードの投影面積が小さくなるように上記情報カードが保持され、
上記コネクタの収容溝は、上記回路基板の主平面を突き抜けて、収容溝の挿入口を上記操作部に設けた場合は上記筐体背面に対して交差しない深さを有し、収容溝の挿入口を上記筐体背面に設けた場合は上記操作部に対して交差しない深さを有することを特徴とする携帯情報端末。
【請求項２】
情報カードの複数の接続端子と接続されるコネクタの複数の接続端子が、前記情報カードを収容する前記コネクタの両方の側壁部上に配列されることを特徴とする請求の範囲第１項記載の携帯情報端末。
【請求項３】
収容溝は、筐体の表面上に形成されて情報カードの幅以上の長さを有する挿入口を具備して、情報カードの高さ未満の高さを有することを特徴とする請求の範囲第１項記載の携帯情報端末。
【請求項４】
収容溝は、筐体の表面上に形成されて情報カードの幅以上の長さを有する挿入口を備える挿入部と、Ｕ字形の壁部に囲まれ、情報カードの高さ以上の長さを有する導入口を備えて該導入口において前記挿入部に連通する取付部とを有して構成されることを特徴とする請求の範囲第１項記載の携帯情報端末。
【請求項５】
収容溝は、情報カードの高さ未満の高さを有する挿入部と、情報カードの幅未満の長さの奥行きを有する取付部とを有して構成されることを特徴とする請求の範囲第１項記載の携帯情報端末。
【請求項６】
携帯情報端末本体の縦方向または横方向に沿って形成される挿入口を備えることを特徴とする請求の範囲第１項記載の携帯情報端末。
【請求項７】
筐体に対して開閉自在に装着されたフリップを備え、コネクタが閉じられたフリップに内包されることを特徴とする請求の範囲第１項記載の携帯情報端末。
【請求項８】
収容溝内に配置されて情報カードの収容の有無を検出するための検出スイッチを構成する第１のスイッチ部材と第２のスイッチ部材とを備え、情報カードが収容位置に収容される際には第１のスイッチ部材と第２のスイッチ部材とは接触し、情報カードが収容位置から移動すると第１のスイッチ部材と第２のスイッチ部材とが離間することを特徴とする請求の範囲第１項記載の携帯情報端末。
【発明の詳細な説明】
【技術分野】
【０００１】
この発明は、個人識別情報等が記録されたＩＣカードを装着して使用する携帯電話機等の携帯情報端末に関するものである。
【背景技術】
【０００２】
欧州では、携帯電話機の通信システムであるＧＳＭ（Global System for Mobile Communication）において、ＳＩＭ（Subscriber Identity Module）カードと称される利用者個人を識別するための情報が記録されたＩＣカードが使用されている。また、日本国内においても、ＩＣカードを使用した携帯情報端末の開発が検討されている。
携帯情報端末には、ＩＣカードを装着するために、携帯情報端末本体の内部に回路基板およびコネクタが設けられている。第１図、第２図および第３図は、従来の携帯電話機の構成を示す斜視図である。
【０００３】
第１図において、１は携帯電話機等の携帯情報端末のフロントケース、２はリアケース、３はリアケース２の背面部に着脱自在に取り付けられる電池パック、４はリアケース２の背面部の上段端部に設けられたノブロック、５はリアケース２の側面部に設けられたイヤホンマイクセット端子、６はリアケース２の底面部に設けられた外部インタフェースコネクタ、７はリアケース２内への収納状態が図示されているアンテナ、８は（図示されない）ヒンジにより一端がフロントケース１に回転可能に取り付けられたフリップ、９はリアケース２の背面部の下段中央において携帯情報端末の正面部方向に窪んだ孔部として形成されたコネクタ、１０は当該コネクタ９に接続可能なＩＣカードである。
【０００４】
次に、第１図に示される携帯情報端末を使用する際の動作について説明する。コネクタ９の窪んだ孔部内へＩＣカード１０を収容した後に、ＩＣカード１０を覆うように電池パック３をリアケース２に装着する。携帯情報端末は、電池パック３をリアケース２に装着した状態で、着信および発信可能となる。
【０００５】
第２図において、第１図と同一符号は同一または相当部分を示すのでその説明を省略する。１１はリアケース２の段部端面に挿入口を有して当該端面からリアケース２の上面部方向に延びる収容溝を画定するように形成されたコネクタである。
【０００６】
次に、第２図に示される携帯情報端末を使用する際の動作について説明する。コネクタ１１の収容溝内へＩＣカード１０を収容した後に、収容溝の挿入口を覆うように電池パック３をリアケース２に装着する。携帯情報端末は、電池パック３をリアケース２に装着した状態で、着信および発信可能となる。
【０００７】
第３図において、第１図と同一符号は同一または相当部分を示すのでその説明を省略する。１２はフロントケース１の正面部においてフリップ８から離間して設けられた特定用途に用いる操作キー、１３はフロントケース１の正面部上方に設けられたディスプレイ表示パネル、１４はフロントケース１の正面部上端に設けられ、着信時に点滅表示することで着信を報知する着信表示用ランプ、１５はフロントケース１の正面部上端近傍に設けられたレシーバ、１６はフロントケース１の正面部下端近傍に設けられたマイク、１７はフロントケース１の側面部上方に挿入口を有して当該側面部から対向する側面部へ延びる収容溝を画定するように形成されたコネクタである。また、第３図に示される携帯情報端末では、携帯情報端末本体の落下時等の衝撃により、ＩＣカード１０が収容溝内から飛び出してＩＣカードの紛失または回路素子の破損等を生じる恐れがあるので、第３図に図示されてはいないが、コネクタ１７の挿入口に着脱自在なキャップを付設するとともに、ＩＣカード１０の飛び出し時に電源を切るためのスイッチング機構および電源切断用回路が設けられている。
【０００８】
【発明の開示】
【発明が解決しようとする課題】
【０００９】
従来の携帯情報端末は以上のように構成されているので、ＩＣカードの接続端子と接続されるコネクタの接続端子が携帯情報端末本体に内蔵された回路基板の主平面（回路基板において回路素子の大部分が実装される面に基づいて規定される平面）に平行な方向に配置されるので、回路基板上におけるコネクタまたはコネクタ関連素子の専有面積が大きくなり、携帯情報端末の小型化を困難にするという課題があった。
【００１０】
また、従来の携帯情報端末では、孔部または収容溝内部に収容されたＩＣカードを取り出すための機構が必要となり構造が複雑となるので、携帯情報端末の軽量化および低コスト化を困難にするという課題があった。
【００１１】
この発明は上記のような課題を解決するためになされたもので、携帯情報端末本体に内蔵された回路基板の基板上におけるコネクタまたはコネクタ関連素子の専有面積を小さくするように取り付け可能であるコネクタを備えた携帯情報端末を得ることを目的とする。
また、この発明は、簡略な構造を有するコネクタを備えた携帯情報端末を得ることを目的とする。
【課題を解決するための手段】
【００１２】
【課題を解決するための手段】
この発明に係る携帯情報端末は、回路基板、
この回路基板と、当該回路基板へ電気的に接続された情報カードとを外部に突出させずに収容し、電池パックが取り付けられる筐体背面と対向する筐体外面に操作部が設けられ、上記回路基板に接続された複数の接続端子を有して上記情報カードを収容する収容溝を画定するように形成されたコネクタが設けられた筐体を備え、上記回路基板の主平面と上記情報カードの主平面とを平行にした場合に当該情報カードの主平面上に投影される上記回路基板の投影面積と比べて、上記回路基板の主平面上に投影される上記情報カードの投影面積が小さくなるように上記情報カードが保持され、上記コネクタの収容溝は、上記回路基板の主平面を突き抜けて、収容溝の挿入口を上記操作部に設けた場合は上記筐体背面に対して交差しない深さを有し、収容溝の挿入口を上記筐体背面に設けた場合は上記操作部に対して交差しない深さを有するようにしたものである。
【００１３】
この発明に係る携帯情報端末は、情報カードの複数の接続端子と接続されるコネクタの複数の接続端子が、情報カードを収容するコネクタの両方の側壁部上に配列されるようにしたものである。
【００１４】
この発明に係る携帯情報端末は、収容溝が、筐体の表面上に形成されて情報カードの幅以上の長さを有する挿入口を具備して、情報カードの高さ未満の高さを有するようにしたものである。
【００１５】
この発明に係る携帯情報端末は、収容溝が、筐体の表面上に形成されて情報カードの幅以上の長さを有する挿入口を備える挿入部と、Ｕ字形の壁部に囲まれ、情報カードの高さ以上の長さを有する導入口を備えて該導入口において挿入部に連通する取付部とを有して構成されるものである。
【００１６】
この発明に係る携帯情報端末は、収容溝が、情報カードの高さ未満の高さを有する挿入部と、情報カードの幅未満の長さの奥行きを有する取付部とを有して構成されるものである。
【００１７】
この発明に係る携帯情報端末は、携帯情報端末本体の縦方向または横方向に沿って形成される挿入口を備えるようにしたものである。
【００１８】
この発明に係る携帯情報端末は、筐体に対して開閉自在に装着されたフリップを備え、コネクタが閉じられたフリップに内包されるようにしたものである。
【００１９】
この発明に係る携帯情報端末は、収容溝内に設置されて情報カードの収容の有無を検出するための検出スイッチを構成する第１のスイッチ部材と第２のスイッチ部材とを備え、情報カードが収容位置に収容される際には第１のスイッチ部材と第２のスイッチ部材とは接触し、情報カードが収容位置から移動すると第１のスイッチ部材と第２のスイッチ部材とが離間するようにしたものである。
【発明の効果】
【００２０】
この発明によれば、回路基板上でのコネクタの投影面積が小さくなるので、回路基板上におけるコネクタまたはコネクタ関連素子の専有面積を小さくすることができるという効果を奏する。
【００２１】
この発明によれば、情報カードを収容するコネクタも回路基板の主平面に対して傾斜して配置されて、回路基板上でのコネクタの投影面積が小さくなるので、回路基板上におけるコネクタまたはコネクタ関連素子の専有面積を小さくすることができるという効果を奏する。
【００２２】
この発明によれば、情報カードの裏表に関係なく情報カードを装着することができるという効果を奏する。
【００２３】
この発明によれば、コネクタの収容溝内へ情報カードを収容した際に情報カードの上部がコネクタの外方へ突出するので、手の親指と人差し指とで情報カードの突出部を摘まんで引き出すのみで情報カードを容易に取り出すことができるから、複雑な機構を必要としないでコネクタの構造を簡略化することができるという効果を奏する。
【００２４】
この発明によれば、情報カードが取付部に収容されている際には、２段階の移動によらなければ情報カードを外部に取り出すことができないので、携帯情報端末が落下した際等に生じる衝撃に基づく情報カードの飛び出しを防止することができるという効果を奏する。
【００２５】
この発明によれば、コネクタの取付部内へ情報カードを収容した際に情報カードの一部分がコネクタの外方へ突出するので、手の親指と人差し指とで情報カードの突出部を摘まんで引き出すのみで情報カードを容易に取り出すことができるから、複雑な機構を必要としないでコネクタの構造を簡略化することができるという効果を奏する。
【００２６】
この発明によれば、コネクタも携帯情報端末本体の縦方向または横方向に沿って配置できるので、回路基板上においてコネクタまたはコネクタ関連素子が専有する部分の境界線分を回路基板上の配線と平行または直角にでき、回路基板の基板面を最大限有効に使用することができるから、回路基板を小型化できるという効果を奏する。
【００２７】
この発明によれば、情報カードの着脱時には電池パックを取り外す必要があるので、情報カードの着脱時には必ず電源が切れている状態となるから、素子の破壊を防止することができるという効果を奏する。
【００２８】
この発明によれば、フリップを開けるのみで情報カードをコネクタに取り付けることが可能であるので、情報カードの取り付け操作が容易になるという効果を奏する。
【００２９】
この発明によれば、情報カードの接続端子とコネクタの接続端子との接触が開始される際、および情報カードの接続端子とコネクタの接続端子との接触状態が開放される際には情報カードが電源から必ず遮断されているので、コネクタに対する情報カードの不用意な着脱に対しても素子の破壊を防止することができるという効果を奏する。
【発明を実施するための最良の形態】
【００３０】
実施の形態１．
第４図は、この発明の実施の形態１による携帯情報端末の構成を示す分解斜視図である。第４図において、第１図と同一符号は同一または相当部分を示すのでその説明を省略する。１８は、携帯情報端末本体に内蔵された回路基板の主平面（回路基板において回路素子の大部分が実装される面に基づいて規定される平面）に対して垂直方向に延びるとともに携帯情報端末本体の縦方向に沿って設けられた収容溝を画定するように形成されたコネクタである。このコネクタ１８の収容溝は、リアケース２の背面部の下段にＩＣカード（情報カード）１０の幅以上の長さを有する挿入口を備えて該挿入口から正面部方向に延びてＩＣカード１０の高さ未満の高さを有する挿入部と、Ｕ字形の壁部に囲まれ、ＩＣカード１０の高さ以上の長さを有する導入口を備えて当該導入口において挿入部に連通してリアケース２の上面部方向に延び奥行きがＩＣカード１０の幅未満の長さを有する取付部とを有して構成される。また、フロントケース１とリアケース２とにより、携帯情報端末本体を成す筐体が構成される。
【００３１】
第５図は、この発明の実施の形態１による携帯情報端末の構成を示す縦断面図である。第６図は、この発明の実施の形態１による携帯情報端末の構成を示す横断面図である。また、第７図はＩＣカードが取り付けられた状態のコネクタを示す縦断面図である。第５図、第６図および第７図において第３図および第４図と同一符号は同一または相当部分を示すのでその説明を省略する。
【００３２】
第５図および第６図において、１９はコネクタ１８の接続端子であり、携帯情報端末本体に内蔵された回路基板の主平面に垂直な方向に配列され、ＩＣカード１０が取り付けられた際には同様に配列されたＩＣカード１０の接続端子とそれぞれ接触する構造を有している。また、２０は携帯情報端末本体に内蔵された回路基板である。
【００３３】
次に、動作について説明する。
まず、携帯情報端末を使用する際には、第１にコネクタ１８の挿入部の挿入口を通してＩＣカード１０を下方向に挿入して、ＩＣカード１０を挿入部内に収容する。次に、ＩＣカード１０を挿入部から導入口を通して接続端子１９が配設された取付部へスライド移動させて取付部内に収容し、ＩＣカード１０の接続端子とコネクタ１８の接続端子とをそれぞれ接触させる。ＩＣカード１０がコネクタ１８の取付部内に収容された状態では、第７図に示されるように、長方形状に形成されたＩＣカード１０の角部近傍の一部分がコネクタ１８内から外方へ突出する。そして、ＩＣカード１０のこの突出部を覆うように電池パック３を装着する。
【００３４】
また、携帯情報端末の使用を終了してＩＣカードを回収する際には、電池パック３を取り外した後に、ＩＣカード１０の上記突出部を摘まんでＩＣカード１０をコネクタ１８の取付部から挿入部へ引き出すようにスライド移動させる。次に、ＩＣカード１０においてコネクタ１８の挿入部の挿入口から突出した部分を摘まんでＩＣカードを上方に引き抜く。
【００３５】
以上のように、この実施の形態１によれば、コネクタ１８を携帯情報端末本体に内蔵された回路基板の主平面に対して垂直方向に延びる収容溝を画定するように形成したので、回路基板上におけるコネクタまたはコネクタ関連素子の専有面積を小さくすることができるという効果を奏する。
【００３６】
また、コネクタ１８の収容溝がＩＣカード１０を挿入する挿入部と、ＩＣカード１０を取り付けて接続端子間の接触を確保するＵ字形の壁部により囲まれた取付部とを有するように構成したので、２段階の移動によらなければＩＣカード１０を外部に取り出すことができないから、携帯情報端末が落下した際等に生じる衝撃に基づくＩＣカード１０の飛び出しを防止することができるという効果を奏する。
【００３７】
また、ＩＣカード１０の収容後に電池パック３を装着するように構成されているので、ＩＣカードの着脱時には必ず電源が切れている状態となるから、素子の破壊を防止することができるという効果を奏する。
【００３８】
さらに、収容溝の挿入部がＩＣカード１０の高さ未満の高さを有するとともに取付部がＩＣカード１０の幅未満の長さの奥行きを有するように構成したので、取付部内へＩＣカードを収容した際にＩＣカードの一部分がコネクタ１８から外方に突出し、電池パック３を取り外した後に手の親指と人差し指とでＩＣカード１０の突出部を摘まんで引き出すのみでＩＣカード１０を容易に取り出すことができるから、複雑な機構を必要としないでコネクタ１８の構造を簡略化することができるという効果を奏する。
【００３９】
実施の形態２．
第８図は、この発明の実施の形態２による携帯情報端末の構成を示す横断面図である。第８図において、第６図と同一符号は同一または相当部分を示すのでその説明を省略する。実施の形態２は、実施の形態１と比較すると、コネクタ１８の両方の側壁部に接続端子が配列されている点で相違する。１９ａは、コネクタ１８の接続端子１９が配列された側壁部に対向する側壁部に配列されたコネクタ１８の接続端子である。
【００４０】
次に、動作について説明する。
第１に、コネクタ１８の挿入部の挿入口を通してＩＣカード１０を下方向に挿入し、ＩＣカード１０を挿入部内に収容する。次に、ＩＣカード１０を挿入部から導入口を通して接続端子１９および接続端子１９ａが配設された取付部へスライド移動させて取付部内に収容し、ＩＣカード１０の接続端子とコネクタ１８の接続端子１９または接続端子１９ａとをそれぞれ接触させる。そして、ＩＣカード１０の突出した部分を覆うように電池パック３を装着する。なお、携帯情報端末の使用を終了してＩＣカードを回収する際の動作は実施の形態１と同様であるので、その説明を省略する。
【００４１】
以上のように、この実施の形態２によれば、実施の形態１によるのと同等の効果が得られるとともに、コネクタ１８の両方の側壁部に複数の接続端子を配列するように構成したので、ＩＣカード１０の裏表に関係なくＩＣカードを取り付けることができるという効果を奏する。
【００４２】
実施の形態３．
第９図は、この発明の実施の形態３による携帯情報端末の構成を示す分解斜視図である。第９図において、第１図と同一符号は同一または相当部分を示すのでその説明を省略する。２１は、携帯情報端末本体に内蔵された回路基板の主平面に対して垂直方向に延びるとともに携帯情報端末本体の縦方向に沿って設けられた収容溝を画定するように形成されたコネクタである。このコネクタ２１の収容溝は、リアケース２の背面部の下段にＩＣカード１０の幅以上の長さを有する挿入口を備えて、この挿入口から正面部方向に延びてＩＣカード１０の高さ未満の高さを有している。
【００４３】
第１０図は、この発明の実施の形態３による携帯情報端末の構成を示す縦断面図である。第１１図は、この発明の実施の形態３による携帯情報端末の構成を示す横断面図である。また、第１２図は、ＩＣカードが取り付けられた状態のコネクタを示す縦断面図である。第１０図、第１１図および第１２図において第５図および第９図と同一符号は同一または相当部分を示すのでその説明を省略する。
【００４４】
第１０図および第１１図において、２２はコネクタ２１の接続端子であり、携帯情報端末本体に内蔵された回路基板２０の主平面に垂直な方向に配列され、ＩＣカード１０が取り付けられた際には同様に配列されたＩＣカード１０の接続端子とそれぞれ接触する構造を有している。
【００４５】
次に、動作について説明する。
まず、携帯情報端末を使用する際には、第１にコネクタ１８の挿入口を通してＩＣカード１０を下方向に挿入して、ＩＣカード１０の接続端子とコネクタ１８の接続端子とをそれぞれ接触させる。ＩＣカード１０がコネクタ２１内に収容された状態では、第１２図に示されるように、長方形状に形成されたＩＣカード１０の上方部分がコネクタ２１から外方へ突出する。そして、ＩＣカード１０のこの突出部を覆うように電池パック３を装着する。
【００４６】
また、携帯情報端末の使用を終了してＩＣカードを回収する際には、電池パック３を取り外した後に、ＩＣカード１０の上記突出部を摘まんでコネクタ２１からＩＣカード１０を上方に引き抜く。
【００４７】
以上のように、この実施の形態３によれば，コネクタ２１を携帯情報端末本体に内蔵された回路基板の主平面に対して垂直方向に延びる収容溝を画定するように形成したので、回路基板上におけるコネクタまたはコネクタ関連素子の専有面積を小さくすることができるという効果を奏する。
【００４８】
また、ＩＣカード１０の収容後に電池パック３を装着するように構成されているので、ＩＣカードの着脱時には必ず電源が切れている状態となるから、素子の破壊を防止することができるという効果を奏する。
【００４９】
さらに、コネクタ２１の収容溝がＩＣカード１０の高さ未満の高さを有するように構成したので、コネクタ２１内へＩＣカード１０を収容した際にＩＣカード１０の上部がコネクタ２１から外方へ突出し、電池パック３を取り外した後に手の親指と人差し指とでＩＣカード１０の突出部を摘まんで引き出すのみでＩＣカード１０を容易に取り出すことができるから、複雑な機構を必要としないでコネクタ２１の構造を簡略化することができるという効果を奏する。
【００５０】
実施の形態４．
第１３図は、この発明の実施の形態４による携帯情報端末の構成を示す斜視図である。第１３図において、第１図および第３図と同一符号は同一または相当部分を示すのでその説明を省略する。２３は、携帯情報端末本体に内蔵された回路基板の主平面に対して垂直方向に延びるとともに携帯情報端末本体の縦方向に沿って設けられた収容溝を画定するように形成されたコネクタである。このコネクタ２３の収容溝は、フリップ８が開放されたフロントケース１の正面部の下段にＩＣカード１０の幅以上の長さを有する挿入口を備えて該挿入口から背面部方向に延びてＩＣカード１０の高さ未満の高さを有する挿入部と、Ｕ字形の壁部に囲まれ、ＩＣカード１０の高さ以上の長さを有する導入口を備えて当該導入口において前記挿入部に連通してフロントケース１の上面部方向に延び奥行きがＩＣカード１０の幅未満の長さを有する取付部とを有して構成されている。また、２４はフリップ８が開放されたフロントケース１の正面部の下段に配列されたダイヤルキーである。
【００５１】
第１４図は、この発明の実施の形態４による携帯情報端末の構成を示す縦断面図である。第１５図は、この発明の実施の形態４による携帯情報端末の構成を示す横断面図である。また、第１６図はＩＣカードが取り付けられた状態のコネクタを示す縦断面図である。第１７図は、ＩＣカードが取り出される過程のコネクタを示す縦断面図である。第１４図、第１５図、第１６図および第１７図において第５図および第１３図と同一符号は同一または相当部分を示すのでその説明を省略する。
【００５２】
第１４図および第１５図において、２５はコネクタ２３の接続端子であり、携帯情報端末本体に内蔵された回路基板２０の主平面に対して垂直な方向に配列され、ＩＣカード１０が取り付けられた際には同様に配列されたＩＣカード１０の接続端子とそれぞれ接触する構造を有している。
【００５３】
第１６図において、２６ａ，２６ｂはそれぞれコネクタ２３の取付部を囲むＵ字形の壁部の基底部分に形成された孔部内に設置されて検出スイッチを構成するスイッチ部材であり、第１６図に示されるようにＩＣカード１０がコネクタ２３の取付部に収容されている際にはスイッチ部材２６ａ（第１のスイッチ部材）とスイッチ部材２６ｂ（第２のスイッチ部材）とは接触し、第１７図に示されるようにＩＣカード１０がコネクタ２３の取付部から引き出された際にはスイッチ部材２６ａとスイッチ部材２６ｂとは離間する。
【００５４】
次に、動作について説明する。
まず、携帯情報端末を使用する際には、第１にフリップ８を開放し、コネクタ２３の挿入部の挿入口を通してＩＣカード１０を下方向に挿入して、ＩＣカード１０を挿入部内に収容する。次に、ＩＣカード１０を挿入部から導入口を通して接続端子２５が配設された取付部へスライド移動させて取付部内に収容し、ＩＣカード１０の接続端子とコネクタ２３の接続端子とをそれぞれ接触させる。この際、スイッチ部材２６ａはＩＣカード１０に押圧されてスイッチ部材２６ｂに接触し、電源が入った状態となる。また、第１６図に示されるように、長方形状に形成されたＩＣカード１０の角部近傍の一部分がコネクタ２３から外方へ突出した状態となる。そして、コネクタ２３内へのＩＣカード１０の収容が完了した後に、フリップ８を閉じる。
【００５５】
また、携帯情報端末の使用を終了してＩＣカードを回収する際には、第１にフリップ８を開放し、ＩＣカード１０の上記突出部を摘まんでＩＣカード１０をコネクタ２３の取付部から挿入部へ引き出すようにスライド移動させる。この際、スイッチ部材２６ａはその弾性力によりスイッチ部材２６ｂから離間して、ＩＣカード１０の接続端子とコネクタ２３の接続端子との接触状態が開放される前にＩＣカード１０が電源から遮断された状態となる。次に、ＩＣカード１０においてコネクタ２３の挿入部の挿入口から突出した部分を摘まんでＩＣカードを上方へ引き抜く。そして、フリップ８を閉じる。
【００５６】
以上のように、この実施の形態４によれば、コネクタ２３を携帯情報端末本体に内蔵された回路基板の主平面に対して垂直方向に延びる収容溝を画定するように形成したので、回路基板上におけるコネクタまたはコネクタ関連素子の専有面積を小さくすることができるという効果を奏する。
【００５７】
また、コネクタ２３の収容溝がＩＣカード１０を挿入する挿入部とＩＣカード１０を取り付けて接続端子間の接触を確保するＵ字形の壁部により囲まれた取付部とを有するように構成したので、２段階の移動によらなければＩＣカード１０を外部に取り出すことができないから、携帯情報端末が落下した際等に生じる衝撃に基づくＩＣカード１０の飛び出しを防止することができるという効果を奏する。
【００５８】
また、収容溝の挿入部がＩＣカード１０の高さ未満の高さを有するとともに取付部がＩＣカード１０の幅未満の長さの奥行きを有するように構成したので、取付部内へＩＣカードを収容した際にＩＣカード１０の一部分がコネクタ２３から外方へ突出し、フリップ８を開放した後に手の親指と人差し指とでＩＣカード１０の突出部を摘まんで引き出すのみでＩＣカード１０を容易に取り出すことができるから、複雑な機構を必要としないでコネクタ２３の構造を簡略化することができるという効果を奏する。
【００５９】
また、コネクタ２３の取付部へのＩＣカード１０の収容の有無を検出するための検出スイッチを構成するスイッチ部材２６ａ，２６ｂを設けるように構成したので、ＩＣカード１０の接続端子とコネクタ２３の接続端子との接触が開始される際、およびＩＣカード１０の接続端子とコネクタ２３の接続端子との接触状態が開放される際にはＩＣカード１０が電源から必ず遮断されているので、コネクタ２３へのＩＣカード１０の不用意な着脱に対しても素子の破壊を防止することができるという効果を奏する。
【００６０】
また、フリップ８が開放されたフロントケース１の正面部にコネクタ２３を配置するように構成したので、フリップ８を開けるのみでＩＣカード１０をコネクタ２３に取り付けることが可能であるので、ＩＣカードの取り付け操作が容易になるという効果を奏する。
【００６１】
実施の形態５．
第１８図は、この発明の実施の形態５による携帯情報端末の構成を示す分解斜視図である。第１８図において、第１図と同一符号は同一または相当部分を示すのでその説明を省略する。２７は、携帯情報端末本体に内蔵された回路基板の主平面に対して垂直方向に延びるとともに携帯情報端末本体の横方向に沿って設けられた収容溝を画定するように形成されたコネクタである。このコネクタ２７の収容溝は、リアケース２の背面部の下段にＩＣカード１０の幅以上の長さを有する挿入口を備えて、この挿入口から正面部方向に延びてＩＣカード１０の高さ未満の高さを有している。
【００６２】
第１９図は、この発明の実施の形態５による携帯情報端末の構成を示す縦断面図である。第２０図は、この発明の実施の形態５による携帯情報端末の構成を示す横断面図である。また、第２１図は、ＩＣカードが取り付けられた状態のコネクタを示す横断面図である。第１９図、第２０図および第２１図において、第５図および第１８図と同一符号は同一または相当部分を示すのでその説明を省略する。
【００６３】
第１９図および第２０図において、２８はコネクタ２７の接続端子であり、携帯情報端末本体に内蔵された回路基板２０の主平面に垂直な方向に配列され、ＩＣカード１０が取り付けられた際には同様に配列されたＩＣカード１０の接続端子とそれぞれ接触する構造を有している。
【００６４】
次に、動作について説明する。
まず、携帯情報端末を使用する際には、第１にコネクタ２７の挿入口を通してＩＣカード１０を下方向に挿入して、ＩＣカード１０の接続端子とコネクタ１８の接続端子とをそれぞれ接触させる。ＩＣカード１０がコネクタ２７内に収容された状態では、第２１図に示されるように、長方形状に形成されたＩＣカード１０の上方部分がコネクタ２７から外方へ突出する。そして、ＩＣカード１０のこの突出部を覆うように電池パック３を装着する。
【００６５】
また、携帯情報端末の使用を終了してＩＣカードを回収する際には、電池パック３を取り外した後に、ＩＣカード１０の上記突出部を摘まんでコネクタ２７からＩＣカード１０を上方に引き抜く。
【００６６】
以上のように、この実施の形態５によれば、コネクタ２７を携帯情報端末本体に内蔵された回路基板の主平面に対して垂直方向に延びる収容溝を画定するように形成したので、回路基板上におけるコネクタまたはコネクタ関連素子の専有面積を小さくすることができるという効果を奏する。
【００６７】
また、ＩＣカード１０の収容後に電池パック３を装着するように構成されているので、ＩＣカードの着脱時には必ず電源が切れている状態となるから、素子の破壊を防止することができるという効果を奏する。
【００６８】
さらに、コネクタ２７の収容溝がＩＣカード１０の高さ未満の高さを有するように構成したので、コネクタ２７内へＩＣカード１０を収容した際にＩＣカード１０の上部がコネクタ２７から外方へ突出し、電池パック３を取り外した後に手の親指と人差し指とでＩＣカード１０の突出部を摘まんで引き出すのみでＩＣカード１０を容易に取り出すことができるから、複雑な機構を必要としないでコネクタ２７の構造を簡略化することができるという効果を奏する。
【００６９】
実施の形態６．
第２２図は、この発明の実施の形態６による携帯情報端末の構成を示す斜視図である。第２２図において、第１図、第３図および第１３図と同一符号は同一または相当部分を示すのでその説明を省略する。２９は、携帯情報端末本体に内蔵された回路基板の主平面に対して垂直方向に延びるとともに携帯情報端末本体の縦方向に沿って設けられた収容溝を画定するように形成されたコネクタである。このコネクタ２９の収容溝は、フリップ８が開放されたフロントケース１の正面部下段においてダイヤルキー２４に対して底面部側にＩＣカード１０の幅以上の長さを有する挿入口を備えて、この挿入口から背面部方向に延びてＩＣカード１０の高さ未満の高さを有している。
【００７０】
第２３図は、この発明の実施の形態６による携帯情報端末の構成を示す縦断面図である。第２４図は、この発明の実施の形態６による携帯情報端末の構成を示す横断面図である。また、第２５図はＩＣカードが取り付けられた状態のコネクタを示す横断面図である。第２６図はＩＣカードが取り出された状態のコネクタを示す横断面図である。第２３図、第２４図、第２５図および第２６図において、第５図および第２２図と同一符号は同一または相当部分を示すのでその説明を省略する。
【００７１】
第２３図および第２４図において、３０はコネクタ２９の接続端子であり、携帯情報端末本体に内蔵された回路基板２０の主平面に対して垂直な方向に配列され、ＩＣカード１０が取り付けられた際には同様に配列されたＩＣカード１０の接続端子とそれぞれ接触する構造を有している。
【００７２】
第２５図において、３１ａ，３１ｂはそれぞれコネクタ２９のＵ字形の壁部の基底部分に形成された孔部内に設置されて検出スイッチを構成するスイッチ部材であり、第２５図に示されるようにＩＣカード１０がコネクタ２９に収容されている際にはスイッチ部材３１ａとスイッチ部材３１ｂとは接触し、第２６図に示されるようにＩＣカード１０がコネクタ２９から引き出された際にはスイッチ部材３１ａとスイッチ部材３１ｂとは離間する。
【００７３】
次に、動作について説明する。
まず、携帯情報端末を使用する際には、第１にフリップ８を開放する。次に、コネクタ２９の挿入口を通してＩＣカード１０を下方向に挿入してＩＣカード１０をコネクタ２９内に収容し、ＩＣカード１０の接続端子とコネクタ２９の接続端子とをそれぞれ接触させる。この際、スイッチ部材３１ａはＩＣカード１０に押圧されてスイッチ部材３１ｂに接触し、電源が入った状態となる。また、第２５図に示されるように、長方形状に形成されたＩＣカード１０の上方部分がコネクタ２９から外方へ突出した状態となる。そして、コネクタ２９内へのＩＣカード１０の収容が完了した後に、フリップ８を閉じる。
【００７４】
また、携帯情報端末の使用を終了してＩＣカードを回収する際には、第１にフリップ８を開放し、ＩＣカードの上記突出部を摘まんでＩＣカード１０を上方に引き抜く。この際、スイッチ部材３１ａはその弾性力によりスイッチ部材３１ｂから離間して、ＩＣカード１０の接続端子とコネクタ２９の接続端子との接触状態が開放される前にＩＣカード１０が電源から遮断された状態となる。そして、ＩＣカード１０を回収した後に、フリップ８を閉じる。
【００７５】
以上のように、この実施の形態６によれば、コネクタ２９を携帯情報端末本体に内蔵された回路基板の主平面に対して垂直方向に延びる収容溝を画定するように形成したので、回路基板上におけるコネクタまたはコネクタ関連素子の専有面積を小さくすることができるという効果を奏する。
【００７６】
また、コネクタ２９の収容溝がＩＣカード１０の高さ未満の高さを有するように構成したので、コネクタ２９内へＩＣカード１０を収容した際にＩＣカード１０の上部がコネクタ２９から外方へ突出し、フリップ８を開放した後に手の親指と人差し指とでＩＣカード１０の突出部を摘まんで引き出すのみでＩＣカード１０を容易に取り出すことができるから、複雑な機構を必要としないでコネクタ２９の構造を簡略化することができるという効果を奏する。
【００７７】
また、コネクタ２９へのＩＣカード１０の収容の有無を検出するための検出スイッチを構成するスイッチ部材３１ａ，３１ｂを設けるように構成したので、ＩＣカード１０の接続端子とコネクタ２９の接続端子との接触が開始される際、およびＩＣカード１０の接続端子とコネクタ２９の接続端子との接触状態が開放される際にはＩＣカード１０が電源から必ず遮断されているので、コネクタ２３へのＩＣカード１０の不用意な着脱に対しても素子の破壊を防止することができるという効果を奏する。
【００７８】
さらに、フリップ８が開放されたフロントケース１の正面部にコネクタ２９を配置するように構成したので、フリップ８を開けるのみでＩＣカード１０をコネクタ２９に取り付けることが可能であるので、ＩＣカードの取り付け操作が容易になるという効果を奏する。
【００７９】
なお、実施の形態３、実施の形態４、実施の形態５および実施の形態６による携帯情報端末については、実施の形態２と同様に、コネクタの両方の側壁部に接続端子を配列するように構成することも可能である。
【００８０】
また、実施の形態１、実施の形態２、実施の形態３および実施の形態５による携帯情報端末については、実施の形態４と同様に、コネクタ内へのＩＣカードの収容の有無を検出するための検出スイッチを構成するスイッチ部材を設けるように構成することも可能である。
【産業上の利用可能性】
【００８１】
以上のように、この発明に係る携帯情報端末は、個人識別情報等が記録されたＩＣカードを装着して使用する携帯電話機等の携帯情報端末を小型化および低コスト化するのに適している。
【図面の簡単な説明】
【００８２】
【図１】従来の携帯電話機の構成を示す斜視図である。
【図２】従来の携帯電話機の構成を示す斜視図である。
【図３】従来の携帯電話機の構成を示す斜視図である。
【図４】この発明の実施の形態１による携帯情報端末の構成を示す分解斜視図である。
【図５】この発明の実施の形態１による携帯情報端末の構成を示す縦断面図である。
【図６】この発明の実施の形態１による携帯情報端末の構成を示す横断面図である。
【図７】ＩＣカードが取り付けられた状態のコネクタを示す縦断面図である。
【図８】この発明の実施の形態２による携帯情報端末の構成を示す横断面図である。
【図９】この発明の実施の形態３による携帯情報端末の構成を示す分解斜視図である。
【図１０】この発明の実施の形態３による携帯情報端末の構成を示す縦断面図である。
【図１１】この発明の実施の形態３による携帯情報端末の構成を示す横断面図である。
【図１２】ＩＣカードが取り付けられた状態のコネクタを示す縦断面図である。
【図１３】この発明の実施の形態４による携帯情報端末の構成を示す斜視図である。
【図１４】この発明の実施の形態４による携帯情報端末の構成を示す縦断面図である。
【図１５】この発明の実施の形態４による携帯情報端末の構成を示す横断面図である。
【図１６】ＩＣカードが取り付けられた状態のコネクタを示す縦断面図である。
【図１７】ＩＣカードが取り出される過程におけるコネクタを示す縦断面図である。
【図１８】この発明の実施の形態５による携帯情報端末の構成を示す分解斜視図である。
【図１９】この発明の実施の形態５による携帯情報端末の構成を示す縦断面図である。
【図２０】この発明の実施の形態５による携帯情報端末の構成を示す横断面図である。
【図２１】ＩＣカードが取り付けられた状態のコネクタを示す横断面図である。
【図２２】この発明の実施の形態６による携帯情報端末の構成を示す斜視図である。
【図２３】この発明の実施の形態６による携帯情報端末の構成を示す縦断面図である。
【図２４】この発明の実施の形態６による携帯情報端末の構成を示す横断面図である。
【図２５】ＩＣカードが取り付けられた状態のコネクタを示す横断面図である。
【図２６】ＩＣカードが取り出された状態のコネクタを示す横断面図である。
【図１】
0003923310.tif 000002
【図２】
0003923310.tif 000003
【図３】
0003923310.tif 000004
【図４】
0003923310.tif 000005
【図５】
0003923310.tif 000006
【図６】
0003923310.tif 000007
【図７】
0003923310.tif 000008
【図８】
0003923310.tif 000009
【図９】
0003923310.tif 000010
【図１０】
0003923310.tif 000011
【図１１】
0003923310.tif 000012
【図１２】
0003923310.tif 000013
【図１３】
0003923310.tif 000014
【図１４】
0003923310.tif 000015
【図１５】
0003923310.tif 000016
【図１６】
0003923310.tif 000017
【図１７】
0003923310.tif 000018
【図１８】
0003923310.tif 000019
【図１９】
0003923310.tif 000020
【図２０】
0003923310.tif 000021
【図２１】
0003923310.tif 000022
【図２２】
0003923310.tif 000023
【図２３】
0003923310.tif 000024
【図２４】
0003923310.tif 000025
【図２５】
0003923310.tif 000026
【図２６】
0003923310.tif 000027